(57)【要約】【課題】記録媒体のディジタルデータのリッピングと再生を同時に可能として、ハードディスクにリッピングするディタルデータの容量を低減可能とする。【解決手段】オーディオＣＤ４ａから高速に読み出されたデータは、主記憶用メモリ３を介して、ハードディスク５ａのバッファ専用記録領域２０に記憶され（パス１，２）、オーディオ再生のためのオーディオ再生レートでの読出し（パス３）とリッピングのための高速読出し（パス４）とが行なわれる。パス３のデータは主記憶用メモリ３の等速・同時再生用読出バッファ３１でオーディオ再生用のオーディオデータに変換される。パス４のデータは、主記憶用メモリ３の倍速エンコード用読出バッファ３２を用いてデータ圧縮回路７で圧縮される。圧縮されたオーディオデータは、主記憶用メモリ３のハードディスク書込用バッファ３３を介して、ハードディスク５ａのユーザ用記録領域２１に記録される（パス５）。【選択図】図２
2005228421.tif 000002
【特許請求の範囲】
【請求項１】
記録媒体からディジタルデータを読み出す再生装置と、該記録媒体の再生ディジタルデータをハードディスクに記録し再生するハードディスクドライブと、表示手段とを備えたディジタルデータ記録再生装置であって、
該ハードディスクは、第１の記録領域と第２の記録領域とを有し、
該ハードディスクドライブは、該記録媒体からディジタルデータを通常再生よりも高速で読み出されて該ハードディスクの該第１の記録領域に記録しながら、該第１の記録領域に記録される該ディジタルデータを、再生ための第１の形態と該ハードディスクの該第２の記録領域に記録するための第２の形態とで時分割に、読み出す手段を備え、
さらに、該ハードディスクの第１の記録領域から該第１の形態で読み出された該ディジタルデータを再生可能なレートのディジタルデータに変換するバッファ手段と、該ハードディスクの第１の記録領域から該第２の形態で読み出された該ディジタルデータを圧縮するデータ圧縮手段とを備え、該ハードディスクドライブは、該データ圧縮手段で圧縮された該ディジタルデータを該ハードディスクの該第２の記録領域に記録することを特徴とするディジタルデータ記録再生装置。
【請求項２】
請求項１に記載のディジタルデータ記録再生装置において、
前記記録媒体から再生されたディジタルデータを前記ハードディスクの前記第１の記録領域に記録するための前記ハードティスクドライブへの転送、前記ハードディスクドライブによって前記ハードディスクの前記第１の記録領域から読み出された前記第１の形態のディジタルデータの再生のための転送、前記ハードディスクドライブによって前記ハードディスクの前記第１の記録領域から読み出された前記第２の形態のディジタルデータの前記データ圧縮手段で圧縮のための転送、及び前記データ圧縮手段で圧縮された前記データの前記ハードディスクの前記第２の記録領域への記録のための前記ハードディスクドライブへの転送を、同一バスを用いて、時分割に行なわせる制御を行なう制御手段を備えたことを特徴とするディジタルデータ記録再生装置。
【発明の詳細な説明】
【技術分野】
【０００１】
本発明は、オーディオＣＤやＤＶＤなどの記録媒体のディジタルデータをハードディスクなどの大容量の記憶装置へリッピングしながら該ディジタルデータの再生も可能とするディジタルデータ記録装置に関する。
【背景技術】
【０００２】
オーディオＣＤを再生するためのＣＤ再生装置は現在広く普及しており、パーソナルコンピュータなどでも再生（ここで、再生とは、スピーカなどで音声出力することをいう）できるようになっている。また、パーソナルコンピュータなどでは、オーディオＣＤからオーディオデータを抽出してハードディスクに記録するリッピング機能を備えているものも出てきている。
【０００３】
通常、リッピングするだけであれば、オーディオＣＤからのオーディオデータの読み取りレートを再生のための通常のレート（例えば、４４．１ＫＨｚ。以下では、オーディオデータの場合、オーディオ再生レートという）よりも高速にしてこれを行なうことができ、短時間でリッピングが可能であるが、リッピングと同時にオーディオＣＤを再生する場合には、再生に合わせてリッピングが行なわれていたことにより、リッピングもオーディオ再生レートで行なわれることなり、リッピングを高速に行なうことができなかった。
【０００４】
これに対し、同じオーディオＣＤのディジタルデータをリッピングし、かつ再生するに際し、リッピングを高速に行なうことができるようにした技術が提案されている（例えば、特許文献１参照）。
【０００５】
これは、オーディオＣＤからオーディオデータをオーディオ再生レートよりも高速でリッピングし、このリッピングによってハードディスクに少なくとも１曲分のオーディオデータが記録されると、これをオーディオ再生レートで読み出して再生するものである。
【０００６】
しかし、この方法では、少なくとも１曲分がリッピングされるまでは、ハードディスクからの再生のためのオーディオデータの読み取りができず、オーディオ再生のための待ち時間が生じてしまう。これに対し、リッピングの開始とともに、オーディオ再生のための読み取りも同時に開始させることができるようにした技術も提案されている（例えば、特許文献２参照）。
【０００７】
これは、リッピングの開始とともに、ハードディスクにオーディオデータが記録されていくが、これとともに、ハードディスクからこの記録されたオーディオデータをオーディオ再生レートで読み取るものである。
【特許文献１】特開２００２−２６９９１１
【特許文献２】特開２００３−５９１７２
【発明の開示】
【発明が解決しようとする課題】
【０００８】
しかし、上記特許文献２に記載の発明は、上記特許文献１に記載の技術に比べ、リッピングと同時にオーディオ再生もできるものであるから、その待ち時間をなくすことができるが、リッピングが行なわれる毎にオーディオデータがハードディスクに記録されていくことになり、例え１曲ずつオーディオデータがリッピングされるとしても、ハードディスクでは、非常に大きな容量の記憶領域がオーディオデータによって占有されてしまうことになる。このため、ハードディスクでのオーディオデータの記憶量（曲数）が大幅に制限されてしまうし、また、パソコンなどのハードディスクの場合には、他のデータの記憶容量も制限を受け、ハードディスクの有効な利用が阻害されることになる。このことは、上記特許文献１に記載の技術についても、同様である。
【０００９】
本発明の目的は、かかる問題を解消し、ハードディスクへのディジタルデータのリッピングを高速に行ないながら、同時に再生も可能とし、かつかかるディジタルデータの該ハードディスクでの占有容量を低減することができるようにしたディジタルデータ記録再生装置を提供することにある。
【課題を解決するための手段】
【００１０】
上記目的を達成するために、本発明は、記録媒体からディジタルデータを読み出す再生装置と、該記録媒体の再生ディジタルデータをハードディスクに記録し再生するハードディスクドライブと、表示手段とを備えたディジタルデータ記録再生装置であって、ハードディスクは第１の記録領域と第２の記録領域とが設けられ、ハードディスクドライブは、記録媒体からディジタルデータを通常再生よりも高速でハードディスクの第１の記録領域に記録しながら、第１の記録領域に記録されるディジタルデータを、再生のための第１の形態とハードディスクの第２の記録領域に記録するための第２の形態とで時分割に、読み出す手段を備え、さらに、ハードディスクの第１の記録領域から第１の形態で読み出されたディジタルデータを再生可能なレートのディジタルデータに変換するバッファ手段と、ハードディスクの第１の記録領域から第２の形態で読み出されたディジタルデータを圧縮するデータ圧縮手段とを備え、ハードディスクドライブは、データ圧縮手段で圧縮されたディジタルデータをハードディスクの第２の手段に記録するものである。
【００１１】
また、本発明は、記録媒体から再生されたディジタルデータをハードディスクの第１の記録領域に記録するためのハードティスクドライブへの転送、ハードディスクドライブによってハードディスクの第１の記録領域から読み出された第１の形態のディジタルデータの再生のための転送、ハードディスクドライブによってハードディスクの第１の記録領域から読み出された第２の形態のディジタルデータのデータ圧縮手段で圧縮のための転送、及びデータ圧縮手段で圧縮されたデータのハードディスクの第２の記録領域への記録のためのハードディスクドライブへの転送を、同一バスを用いて、時分割に行なわせる制御を行なう制御手段を備えたものである。
【発明の効果】
【００１２】
本発明によると、記録媒体のディジタルデータ信号をハードディスクに高速にリッピングすると同時に、このディジタルデータ信号を通常の再生レートで再生することが可能となり、再生までの待ち時間を大幅に短縮することができるし、また、リッピングされたディジタルデータ信号の該ハードディスクでの占有容量を低減できて、ハードディスクの有効利用を図ることができる。
【発明を実施するための最良の形態】
【００１３】
以下、本発明の実施形態を図面により説明する。
【００１４】
図１は本発明によるディジタルデータ記録再生装置の一実施形態を示すブロック図であって、１はプログラム格納メモリ、２は制御用ＣＰＵ（Central Processing Unit）、３は主記憶用メモリ、４はディスク再生装置、４ａはディスク状記録媒体、５は記録用ＨＤＤ（ハードディスクドライブ）、５ａはハードディスク、６はＰ／Ｓ（パラレル／シリアル）変換回路、７はデータ圧縮回路（エンコーダ）、８はデータ伸張回路（デコーダ）、９，１０は信号バス、１１はバスブリッジ、１２は再生回路、１３はＡＴＡＰＩ（AT Attachment Packet Interface）である。
【００１５】
同図において、プログラム格納メモリ１はフラッシュ・メモリなどで構成されて、このディジタルデータ記録再生装置の装置本体を始め、周辺機器の制御プログラムが格納されている。これら制御プログラムは装置本体の起動時に読み出されて、ＳＤＲＡＭ（Synchronous DRAM）などからなる主記憶メモリ３に展開される。
【００１６】
制御用ＣＰＵ２は、プログラム格納メモリ１に格納されている制御プログラムに基づいて、装置本体の各部や周辺装置を制御する。
【００１７】
主記憶用メモリ３は、上記の制御プログラムが展開されたり、各種処理のためにディジタルデータを一時的に保持するバッファ領域として使用されたりする。
【００１８】
ディスク再生装置４は、ＣＤやＤＶＤなどのディスク状記録媒体４ａが着脱可能に装着され、装着されたディスク状記録媒体４ａからオーディオデータやビデオデータなどのディジタルデータを読み取る装置である。
【００１９】
記録用ＨＤＤ５は、主記憶用メモリ３に比べて非常に大きな容量の記憶領域のハードディスク５ａを備え、このハードディスク５ａにディスク再生装置４でディスク状記録媒体４ａから読み取ったディジタルデータを記録（即ち、リッピング）し、また、再生を行なう装置である。
【００２０】
ＰＳ変換回路６は、パラレルデータを再生回路１２に応じたシリアルデータに変換する回路である。
【００２１】
データ圧縮回路７は、オーディオデータをＭＰ３（Moving Picture Experts Group1;Audio Layer3）やＡＴＲＡＣ(Adaptive TransformAcoustic Coding)などのエンコード方式により圧縮し、あるいはビデオデータをＭＰＥＧ（Moving Picture Experts Group）のエンコード方式により圧縮する回路であって、高速で信号処理を行なえるプロセッサ、例えば、ＤＳＰ（Digital Signal Processor）などで構成されている。
【００２２】
データ伸張回路（ＰＳ変換回路を含む）８は、データ圧縮回路７で圧縮したディジタルデータを伸張して元に戻すための回路であって、Ｐ／Ｓ変換回路も備えており、データ伸張したパラレルのディジタルデータをシリアル信号に変換して再生回路１２に供給する。
【００２３】
再生回路１２は、ＰＳ変換回路６もしくはデータ伸張回路８からのシリアルのディジタルデータをアナログデータに変換し（ＤＡ変換）し、所定の再生処理をして図示しない表示手段（例えば、スピーカや表示装置など）に供給する。
【００２４】
プログラム格納メモリ１や制御ＣＰＵ，主記憶用メモリ３，ＰＳ変換回路６，データ圧縮回路７，データ伸張回路８は信号バス９に接続されており、制御用ＣＰＵ２の制御のもとに、これら主記憶用メモリ３，ＰＳ変換回路６，データ圧縮回路７，データ伸張回路８でデータのやり取りすることができる。また、ディスク再生装置４と記録用ＨＤＤ５とはＩＤＥ（Integrated Drive Electronics）バスなどの信号バス１０に接続されており、これら信号バス９，１０がバスブリッジ１１によって接続されている。このバスブリッジ１１は、フォーマットの異なる信号バス９と信号バス１０との間のフォーマットが異なるデータの橋渡しをするものである。ここで、信号バス１０とバイブリッジ１１とはＡＴＡＰＩ１３を形成しており、このＡＴＡＰＩ１３によってディスク再生装置４と記録用ＨＤＤ５とが信号バス９に接続され、これにより、ディスク再生装置４と記録用ＨＤＤ５とは、信号バス９上の主記憶用メモリ３などとデータのやり取りをすることができる構成となっている。
【００２５】
次に、ディスク再生装置４のディスク状記録媒体からディジタルデータを読み出して、記録用ＨＤＤ５に記録するリッピングと再生回路１２から図示しない出力装置に供給する再生を行なうためのこの実施形態の動作について説明する。但し、以下の説明では、このディスク状記録媒体をオーディオＣＤ４ａとし、これから読み出されるディジタルデータをオーディオデータとするが、ＤＶＤなどの他のディスク状記録媒体であってよく、オーディオＣＤの場合と同様である。
【００２６】
ディスク再生装置４では、オーディオＣＤ４ａから高速にパケットデータとしてオーディオデータが読み出され、信号バス１０，バスブリッジ１１からなるＡＴＡＰＩ１３を介して主記憶用メモリ３に送られて記憶される。そして、この主記憶用メモリ３からオーディオデータが読み出され、ＡＴＡＰＩ１３を介して記録用ＨＤＤ５に転送され、そのハードディスク５ａに一時的に記憶される。
【００２７】
このハードディスク５ａに記憶されたオーディオデータが読み出されてリッピングやオーディオ再生が行なわれるのであるが、このために、まず、記録用ＨＤＤ５でハードディスク５ａからオーディオデータが読み出され、ＡＴＡＰＩ１３を介して再度主記憶用メモリ３に記憶される。この主記憶用メモリ３に記載されたオーディオデータを用いてリッピングやオーディオ再生が行なわれる。
【００２８】
即ち、リッピングの場合には、この主記憶用メモリ３からオーディオデータが読み出されてデータ圧縮回路７に供給され、そこでデータ圧縮されて主記憶メモリ３に一旦戻され、しかる後、これから読み出されてＡＴＡＰＩ１３から記録用ＨＤＤ５に転送され、ハードディスク５ａに記録される。また、これと同時にオーディオ再生が行なわれる場合には、主記憶用メモリ３からオーディオデータが読み出され、このオーディオデータはＰＳ変換回路６に供給されてシリアルのオーディオデータに変換され、再生回路１２でＤＡ変換などの再生処理がなされた後、図示しない表示手段に供給される。この実施形態では、リッピングしながらオーディオ再生を行なうことができ、図示しない操作手段でのユーザのリッピングとオーディオ再生の指示操作により、リッピング動作が開始するとともに、オーディオ再生動作も開始させることができる。
【００２９】
図２は図１におけるハードディスク５ａと主記憶用メモリ３の構成の一具体例とデータの流れを示す図であって、８ａはＰＳ変換回路、２０はバッファ専用記録領域、２１はユーザ用記録領域、３０はハードディスク書込用バッファ、３１は等速・同時再生用読出バッファ、３２は倍速エンコード用読出バッファ、３３はハードディスク書込用バッファ、３４はハードディスク読出用バッファであり、図１に対応する部分には同一符号を付けて重複する説明を省略する。
【００３０】
同図において、ハードディスク５ａは、オーディオデータをＵＤ・ＦＳ（User Definition File System）に準拠して一時記憶するバッファ専用記録領域２０と、ファイルの管理を行なうＦＡＴ・ＦＳ（File Allocation Table File System）に準拠してオーディオデータが記録されるユーザ用記録領域２１とを有している。
【００３１】
また、主記憶用メモリ３は、オーディオＣＤ４ａから高速に（倍速で）読み取られたＣＤＦＳ（Compact Disc File System）に準拠するパケット形式のオーディオデータを、ＵＤＦＳに順処したオーディオデータにファイルシステム変換してハードディスク５ａのバッファ専用記録領域２０に書き込むために、一時記憶するハードディスク書込用バッファ３０と、リッピングと同時にオーディオ再生をするときにハードディスク５ａのバッファ専用記録領域２０から読み出されるオーディオデータを、オーディオ再生のレート（オーディオ再生レート、即ち、等速）のデータに変換するために、一時記憶する等速・同時再生用読出バッファ３１と、リッピングのためにハードディスク５ａのバッファ専用記録領域２０から読み出されるオーディオデータを、データ圧縮回路７でデータ圧縮するために、一時記憶する倍速エンコード用読出バッファ３２と、データ圧縮回路７でデータ圧縮された倍速のオーディオデータを、ＦＡＴ・ＦＳに準拠したデータに変換してハードディスク５ａのユーザ用記録領域２１に記録するために、一時記憶するハードディスク書込用バッファ３３と、ハードディスク５ａのユーザ用記録領域２１に記録されているオーディオデータの再生（オーディオ再生）の際、このハードディスク５ａのユーザ用記録領域２１から読み出されたデータ圧縮されているオーディオデータを、データ伸張回路８でデータ伸張し、等速（オーディオ再生レート）のオーディオデータに変換するために、一時記憶するハードディスク読出用バッファ３４を有している。
【００３２】
オーディオＣＤ４ａのオーディオデータをハードディスク５ａにリッピングする場合には、ディスク再生装置４はオーディオＣＤ４ａを高速で回転駆動し、そのオーディオデータをオーディオ再生レートｆｓ（例えば、４４．１ｋＨｚ）の整数倍（以下では、４倍とする）のレートで読み出す。ここでは、オーディオ再生レートｆｓの４倍の高速レート（以下、４倍速レート（＝４ｆｓ）という）で読み出すものとする。従って、この場合には、オーディオＣＤから読み出されたオーディオデータは、通常のオーディオ再生レートｆｓで読み出されるときの１／４倍に時間軸圧縮されていることになる。
【００３３】
図４（ａ）はオーディオＣＤから４倍速レートで読み出されたオーディオデータを示すものであって、Ｔｓを単位期間としており、Ｄｓはオーディオ再生レートｆｓで読み出したときの単位時間Ｔｓでのデータ量である。従って、４倍速レート（＝４ｆｓ）で読み出されたオーディオデータは、図示するように、単位期間Ｔｓでのデータ量が４Ｄｓとなる。
【００３４】
このようにオーディオＣＤ４ａから４倍速レート（＝４ｆｓ）で読み出されたオーディオデータは、ディスク再生装置４において、さらに、バッファなどを用いて、図４（ｂ）に示すように、単位期間Ｔｓ毎に単位期間Ｔｓの１／４倍よりも短い時間長Ｔｐの間欠データ４０に時間軸圧縮される。かかる間欠データ４０が単位期間Ｔｓに等しい周期で（以下では、期間Ｔｓを周期ともいう）、図３（ａ）でパス１として示すように、ＡＴＡＰＩ１３を介して、ＣＤＦＳからＵＤＦＳにファイルシステムが変換されて順次主記憶用メモリ３に供給され、そのハードディスク書込用バッファ３０（図２）に記憶される。なお、図２でのパス１は、図３（ａ）でのパス１に相当するものである。
【００３５】
このようにして記憶されたオーディオデータは、次に、主記憶用メモリ３のハードディスク書込用バッファ３０から書込み時と同じレート，周期Ｔｓで、かつ所定時間ΔＴだけ遅延されて、図３（ｂ）でパス２として示されるように、ＡＴＡＰＩ１３を介して記録用ＨＤＤ５に転送され、ハードディスク５ａのバッファ専用記録領域２０（図２）に順次書き込まれる。この図３（ｂ）のパス２は、図２でのパス２に相当するものである。このパス２での間欠データ４１のタイミングを、図４（ｂ）に示すパス１での間欠データ４０と対比して、図４（ｃ）に示す。
【００３６】
この場合、ハードディスク５ａのバッファ専用記録領域２０では、パス２を通して周期Ｔｓで転送されてきた間欠データ４１は、後述する手法により、連続的に書き込まれる。図４（ｄ）は、間欠データ４１が連続になるように書き込まれたときのバッファ専用記録領域２０でのオーディオデータの記録状態を、時間軸を拡大して、示したものである。この記録状態での時系列は、オーディオＣＤ４ａに記録されていたときの時系列と同様としており、オーディオの情報内容が記録順に連続しているものとする。従って、図４（ｄ）における連続して記録されたデータ量Ｄｓずつのデータはその情報内容が順に連続していることになる。
【００３７】
このようにしてデータ量４Ｄｓの間欠データ４１の記録が終了する毎に、オーディオ再生が要求されていないときには、所定の時間ΔＴ’だけ時間間隔を置いて、データ量４Ｄｓ分のオーディオデータの読出しが行なわれる。このオーディオデータを、図４（ｃ）に示すバッファ専用記録領域２０に書き込まれる間欠データ４１とタイミングで対比して、図４（ｅ）に間欠データ４２として示す。この間欠データ４２も周期Ｔｓの間欠データであって、その時間幅も間欠データ４１と等しくＴｐである。
【００３８】
かかる間欠データ４２は、図３（ｃ）でパス４として示されるように、ＡＴＡＰＩ１３を介して主記憶用メモリ３に周期Ｔｓで順に転送され、その倍速エンコード用読出バッファ３２（図２）に順次書き込まれる。なお、図３（ｃ）のパス４は、図２でのパス４に相当するものである。
【００３９】
データ圧縮回路７は、この倍速エンコード用読出バッファ３２に書き込まれたオーディオデータを読み出して間欠データ４２毎に圧縮する。圧縮された間欠データ４２は、主記憶用メモリ３のハードディスク書込用バッファ３３（図２）に書き込まれる。この場合、例えば、データ圧縮回路７では、圧縮されたオーディオデータが圧縮された分時間軸圧縮される。そして、この圧縮されたオーディオデータの間欠データはこのハードディスク書込用バッファ３３から読み出され、ＦＡＴＦＳに準拠したデータに変換されて、図３（ｄ）でパス５として示すように、間欠データ４４として、ＡＴＡＰＩ１３を介し、記録用ＨＤＤ５に転送され、ハードディスク５ａのユーザ用記録領域２１に記録される。この図３（ｄ）のパス５は、図２でのパス５に相当するものである。このパス５の圧縮された間欠データ４４を図４（ｇ）に示す。
【００４０】
なお、ＨＤＤ５では、ハードディスク書込用バッファ３３から転送されてくる間欠データ４４をユーザ用記録領域２１に記録する際には、これまで記録された間欠データ４４に続けて記録される。これにより、データ圧縮回路７で圧縮されてさらに時間軸圧縮されたオーディオデータが連続的にユーザ用記録領域２１に記録されることになり、ユーザ用記録領域２１でのオーディオデータの占有面積を低減することが可能となる。このように、圧縮されたオーディオデータを連続的に記録することは、後述するバッファ専用記録領域２０での間欠データの書込みのように、図示しないヘッドを次の書込み位置に移動させるという手法を用いて行なうことができる。
【００４１】
このようにして、ＡＴＡＰＩ１３での間欠データ４１のディスク再生装置４から主記憶用メモリ３のハードディスク書込用バッファ３０への転送（パス１）、このハードディスク書込用バッファ３０からハードディスク５ａのバッファ専用記録領域２０への間欠データ４１の転送（パス２）、このバッファ専用記録領域２０で読み出された間欠データ４２の主記憶用メモリ３の倍速エンコード用読出しバッファ３２への転送（パス４）、及び主記憶用メモリ３のハードディスク書込用バッファ３３からハードディスク５ａのユーザ用記録領域２１への間欠データ４４の転送（パス５）は、１周期Ｔｓ毎に１回ずつ順に行なわれる。これにより、オーディオＣＤ４ａのオーディオデータがハードディスク５ａに、高速でリッピングでき、かつデータ圧縮回路７でデータ圧縮されたオーディオデータが時間軸圧縮されて記録されるから、その記録の占有容量も大幅に低減できることになる。
【００４２】
このリッピングとともにオーディオ再生もユーザから要求される場合には、１周期Ｔｓ毎に１回、図４（ｃ）に示す間欠データ４１のハードディスク５ａのバッファ専用記録領域２０への記録期間と図４（ｅ）に示すこのバッファ専用記録領域２０からの間欠データ４２の読出期間との間の時間間隔ΔＴ’の間に、このこのバッファ専用記録領域２０からデータ量Ｄｓのオーディオ再生用のデータの読出しが行なわれる。これが図４（ｆ）に示す間欠データ４３であり、図３（ｅ）でパス３として示すように、ＡＴＡＰＩ１３を介して主記憶用メモリ３に順に転送され、その等速・同時再生用読出バッファ３１（図２）に順次書き込まれる。
【００４３】
データ量Ｄｓのかかるオーディオ再生用の間欠データ４３の読出しが１周期Ｔｓ毎に１回ずつ行なわれて、ハードディスク５ａのバッファ専用記録領域２０への書込みのために間欠データ４１の主記憶メモリ３のハードディスク書込バッファ３０からこのハードディスク５ａへ転送される期間と、このバッファ専用記録領域２０から読み出された間欠データ４２が主記憶メモリ３の倍速エンコード用読出しバッファ３２に転送される期間との間に、ハードディスク５ａのバッファ専用記録領域２０から読み出されたデータ量１Ｄｓのオーディオ再生用の間欠データ４３が、ＡＴＡＰＩ１３を介して、主記憶メモリ３の等速・同時再生用読出しバッファ３１に転送されることになる（パス３）。従って、パス４の間欠データ４２やパス５の間欠データ４４は、１周期Ｔｓ毎にデータ量４Ｄｓずつ転送されるのに対し、パス３のオーディオ再生用の間欠データ４３は、１周期Ｔｓ毎にデータ量Ｄｓずつ転送されることになり、このオーディオ再生用の間欠データ４３の転送レートは、オーディオＣＤ４ａからの通常再生のときのオーディオデータのレートと等しくなる。
【００４４】
等速・同時再生用読出バッファ３１に１周期Ｔｓ毎にデータ量Ｄｓずつ入力される間欠データ４３は、ＰＳ変換回路６でシリアルデータに変換された後、再生回路１２に供給されてオーディオ信号として再生される。
【００４５】
ここで、上記のように、ハードディスク５ａのバッファ専用記録領域２０からオーディオ再生用の間欠データ４３が、図４（ｆ）で示すように、周期Ｔｓで順次読み出されるが、パス１では、図４（ｂ）に示す間欠データ４０が転送され、パス２では、この間欠データ４０と間隔ΔＴだけ隔てて図４（ｃ）で示す間欠データ４１が転送され、パス４では、間欠データ４１と間隔ΔＴ’だけ隔てて図４（ｅ）で示す間欠データ４２が転送され、パス５では、間欠データ４０，４１，４２と重ならないように、間欠データ４２と間隔ΔＴ”だけ隔てて図４（ｇ）で示す間欠データ４４が転送され、そして、間欠データ４１，４２間に、図４（ｆ）に示すオーディオ再生用の間欠データ４３がこれら間欠データ４１，４２と時間間隔を明けて転送されるように、これら間欠データ４０，４１，４２，４４の時間軸圧縮率Ｔｐ／Ｔｓが設定される（この時間軸圧縮率Ｔｐ／Ｔｓはパス１で転送されるときの間欠データ４０で設定されたものであって、これにより、間欠データ４１〜４４も同じ時間軸圧縮率Ｔｐ／Ｔｓで時間軸圧縮されている）。
【００４６】
なお、この時間軸圧縮率Ｔｐ／Ｔｓは、必ずしも時間幅ＴｐをＴｓ／４＞Ｔｐとするものである必要はなく、Ｔｓ／４≦Ｔｐとするものであってもよい。即ち、上記の間欠データの書込みあるいは読出しがあってから次の間欠データの書込みあるいは読出しを行なうために、次の間欠データの書込みあるいは読出しを開始する位置にヘッドを移動させるのに要する時間が確保できるように、各間欠データの間の時間間隔が採れるような時間軸圧縮率Ｔｐ／Ｔｓが設定されればよい。  例えば、図４（ｃ）に示す間欠データ４１と図４（ｅ）に示す間欠データ４２との時間間隔ΔＴ’は、
ｔ１＝間欠データ４１が書き込まれて間欠データ４３の読出し開始位置まで          ヘッドを移動させるに要する時間
ｔ２＝間欠データ４３を読み取るに要する時間
ｔ３＝間欠データ４３の読み取りが終了して間欠データ４２の読出し開始位          置までヘッドを移動させるに要する時間
とすると、時間間隔ΔＴ’＞ｔ１＋ｔ２＋ｔ３であればよく、また、間欠データ４０，４１の時間間隔ΔＴや間欠データ４２，４４の時間間隔ΔＴ”は、これら間欠データが互いに時間的に重ならないものであればよい。かかる時間間隔ΔＴ，ΔＴ’，ΔＴ”と圧縮された間欠データ４４の最大時間幅やそれを作成するための圧縮処理時間などを考慮することにより、間欠データ４０〜４３の時間幅（従って、上記の時間軸圧縮率Ｔｐ／Ｔｓ）が決まることになる。
【００４７】
図５は以上の間欠データ４０〜４２，４４とオーディオ再生用の間欠データ４３のタイミング関係を示すものである。なお、これら間欠データ４０〜４４間は時間間隔が明けられている。これは、次に説明するように、上記の手順でこれら間欠データ４０〜４４をハードディスク５ａのバッファ専用記録領域２０で書き込んだり、読み出したりするために、図示しないヘッドを書込み位置や読出し位置に移動させるが、この移動に要する時間だけ書込みや読出しが行なわれないことによるものである。そして、このような時間などを見越して上記の時間軸圧縮率Ｔｐ／Ｔｓが設定され、間欠データ４０〜４４の時間幅を設定している。ここでは、間欠データ４０〜４２の時間幅を１／４周期（＝Ｔｓ／４）よりも短くし、また、オーディオ再生用の間欠データ４３の時間幅を間欠データ４０〜４２の時間幅の１／４倍よりも短くしているものとしている。
【００４８】
次に、ハードディスク５ａのバッファ専用記録領域２０での間欠データ４１の書込み動作、間欠データ４３，４２の読出し動作を説明する。図６はかかる動作を概念的に示す図であり、データ量４Ｄｓの間欠データ４１の書込みから次に書き込まれる間欠データ４１の読出しまでを示している。
【００４９】
同図において、まず、実線矢印４１ａとして示すように、データ量４Ｄｓの間欠データ４１の書込みが行なわれる。これによってハードディスク５ａのバッファ専用記録領域２０に書き込まれたデータ量４Ｄｓのデータを４１ａとする。また、このデータ４１ａでの最初のデータ量Ｄｓのデータを４３ａ、次の同様のデータを４３ｂとする。
【００５０】
データ４１ａが書き込まれると、次に、このデータ４１ａでのデータ４３ａの開始位置にヘッド（図示せず）が移動し（破線で示す）、実線４３ａで示すように、このデータ４３ａの読出しを行なう。これが上記のオーディオ再生用の間欠データ４３である。この読出しが完了すると、次に、ヘッドがデータ４１ａの開始位置（即ち、データ４３ａの開始位置）に移動し（破線で示す）、実線４２ａで示すように、このデータ４１ａをデータ４３ａから順に読み出す。これが上記の間欠データ４２である。
【００５１】
その後、間欠データ４４のハードディスク５ａでのユーザ用記録領域２１への書込みが行なわれ、データ４１ａの書込みが行なわれてから周期Ｔｓが経過すると、次のデータ量４Ｄｓの間欠データ４１のバッファ専用記録領域２０への書込み（実線矢印４１ｂで示す）が行なわれる。この書き込まれたデータ量４Ｄｓのデータをデータ４１ｂとする。この書込が終了すると、ヘッドが、破線で示すように、先のデータ４１ａでの次のデータ量Ｄｓのデータ４３ｂの開始位置に移動し、実線４３ｂで示すように、このデータ４３ｂの読出しが行なわれる。これが次のオーディオ再生用の間欠データ４３である。そして、この読出しが完了すると、破線で示すように、ヘッドは次のデータ量４Ｄｓのデータ４１ｂの開始位置に移動し、実線４２ｂで示すように、このデータ４１ｂの読出しを開始する。これが、次の間欠データ４２である。
【００５２】
このようにして、間欠データの読出しが完了すると、次の書込み位置や読出し位置をサーチしてヘッドを移動させ、次の間欠データの書込みや読出しを行ない、かかる動作を間欠データ４１の書込み毎に、即ち、周期Ｔｓ毎に繰り返す。これにより、図５に示したように、ハードディスク５ａのユーザ用記録領域２１へのオーディオデータの書込み（即ち、リッピング）を、オーディオＣＤ４ａでの読出しレートよりも高速に行なうことができ、また、オーディオ再生用データは、オーディオＣＤ４ａの通常のオーディオ再生のレートで得られることになる。また、これら間欠データ４０〜４４の転送も、図１におけるＡＴＡＰＩ１３（信号バス１０，バスブリッジ１１）や信号バス９を兼用することができ、データ転送路を簡略化できる。かかる間欠データ４０〜４４の時分割転送は、制御用ＣＰＵ２によって制御される。
【００５３】
なお、以上の説明では、ハードディスク５ａのバッファ専用記録領域２０において、パス２を通して間欠データ４１が記録されると、オーディオ再生用の間欠データ４３，間欠データ４２の順に読出しが行なわれるとしたが、これとは逆に、間欠データ４２，オーディオ再生用の間欠データ４３の順に読出しが行なわれるようにしてもよい。
【００５４】
次に、ハードディスク５ａのユーザ用記録領域２１（図２）に記録されたオーディオデータを再生する再生処理について、図７により説明する。なお、前出図面に対応する部分には、同一符号を付けている。
【００５５】
同図において、ユーザからのオーディオ再生指示があると、記録用ＨＤＤ５はハードディスク５ａを回転駆動し、データ圧縮されたオーディオデータを、記録時と同じレートで連続的に読み出し、パス６として示すように、ＡＴＡＰＩ１３を介して主記憶用メモリ３に転送される。この主記憶用メモリ３では、図２に示すハードディスク読出用バッファ３４に順次一時的に格納され、それがデータ伸張回路８に送られ、Ｔｐの時間長のデータに伸張される。
【００５６】
このように伸張されたオーディオデータはオーディオ再生レートｆｓで読み出され、ＰＳ変換回路８ａでシリアルのオーディオデータに変換された再生回路１２に供給される。また、このようにハードディスク読出用バッファ３４から読み出されて伸張されたオーディオデータがオーディオ再生レートｆｓのデータに時間軸伸張されて読み出されている間、ハードディスク５ａのユーザ用記録領域２１から次のオーディオデータの間欠データがパス６を介して主記憶用メモリ３のハードディスク読出用バッファ３４に読み取られ、この次の間欠データがこのハードディスク読出用バッファ３４に蓄積されると、このときデータ伸張などの処理がなされているオーディオデータのこの処理が終了するまで待機し、しかる後、このデータ伸張などの上記の処理が行なわれる。
【００５７】
このようにして、再生回路１２では、オーディオ再生レートｆｓのオーディオデータが連続的に供給されて連続したアナログオーディオ信号が出力されることになり、スピーカなどによって音声信号として再生されることになる。
【００５８】
なお、上記のオーディオ再生の場合には、ハードディスク５ａのユーザ用記憶領域２１から、そこでの記録時と同じ信号形態でオーディオ信号が読み出され、ハードディスク読出用バッファ３４でオーディオ再生レートｆｓのオーディオデータに時間軸伸張するものとしたが、この場合よりもハードディスク５ａを低速回転させ、ハードディスク５ａのユーザ用記録領域２１から読み出すときに、オーディオデータの時間軸伸張をするようにしてもよい。この場合には、オーディオデータは、データ伸張回路８でデータ伸張されると、そのままＰＳ変換回路８ａを介して再生回路１２に供給することができる。
【００５９】
なお、以上は、ディスク状記録媒体をオーディオＣＤとして、実施形態を説明したものであるが、ＤＶＤなどの他のディスク状記録媒体であっても、同様であり、データ圧縮やデータ伸張などのデータ処理が異なるだけである。
【図面の簡単な説明】
【００６０】
【図１】本発明によるディジタルデータ記録再生装置の一実施形態を示すブロック図である。
【図２】図１におけるハードディスクや主記憶用メモリの構成の一具体例とデータの流れを示す図である。
【図３（ａ）】図１に示す実施形態でのオーディオＣＤから主記憶用メモリへのデータの流れを示す図である。
【図３（ｂ）】図３（ａ）に続く主記憶用メモリから記録用ＨＤＤへのデータの流れを示す図である。
【図３（ｃ）】図３（ｂ）に続くリッピング時のデータの流れの一部を示す図である。
【図３（ｄ）】図３（ｃ）に続くデータの流れを示す図である。
【図３（ｅ）】図３（ｂ）に続くリッピングと同時のオーディオ再生でのデータの流れを示す図である。
【図４】図３（ａ）〜（ｅ）での各データのタイミング関係を示すタイミングチャートである。
【図５】図４における間欠データを同一時間軸上で示すタイミングチャートである。
【図６】図２に示すハードディスクのバッファ専用記録領域での間欠データの書込み，読出し動作を説明する図である。
【図７】図１に示す実施形態のオーディオ再生時のデータの流れを示す図である。
【符号の説明】
【００６１】
１  プログラム格納用メモリ
２  制御用ＣＰＵ
３  主記憶用メモリ
４  ディスク再生装置
４ａ  オーディオＣＤ
５  記録用ＨＤＤ
５ａ  ハードディスク
６  ＰＳ変換回路
７  データ圧縮回路（エンコーダ）
８  データ伸張回路（デコーダ）
９，１０  信号バス
１１  バスブリッジ
１２  再生回路
１３  ＡＴＡＰＩ
４０〜４４  間欠データ
【図１】
2005228421.tif 000003
【図２】
2005228421.tif 000004
【図３（ａ）】
2005228421.tif 000005
【図３（ｂ）】
2005228421.tif 000006
【図３（ｃ）】
2005228421.tif 000007
【図３（ｄ）】
2005228421.tif 000008
【図３（ｅ）】
2005228421.tif 000009
【図４】
2005228421.tif 000010
【図５】
2005228421.tif 000011
【図６】
2005228421.tif 000012
【図７】
2005228421.tif 000013